(57)【要約】  本発明は、スイス式アンクル脱進機用の改良されたアンクルおよび改良された脱進機に関し、それらにより、外部の傾斜ピンを除去することにより計時操作を簡略化することが可能になる。当該アンクルは一体的に作られ、アンクル（１０）が配置される一般平面を画定し、その自由端部において天府（１７）と協働するための叉状部（１４）を設けられ、かつ叉状部（１４）の反対側に２つの腕部（２０）により伸長される棒（１２）を備える。各腕部（２０）は、衝撃および係止爪石（２２）と、第１の爪石から離れており、かつ前記一般平面において、前記腕部（２０）に対して突出して位置付けられた停止爪石（２６）と、を備え、前記停止爪石（２６）は、その端部において、脱進機輪（２４）との接触点を画定する凸状部分を有する。【選択図】図１
2013545991.tif 000002
【特許請求の範囲】
【請求項１】
一体的に作られるスイス式アンクル脱進機用アンクル（１０）であって、前記アンクル（１０）が配置される一般平面を画定し、その自由端部において天府（１７）と協働するための叉状部（１４）を設けられ、かつ前記叉状部（１４）の反対側に２つの腕部（２０）により伸長される棒（１２）を含み、各腕部（２０）は、
−衝撃および係止爪石（２２）と、
−第１の爪石から離れており、かつ前記一般平面において、前記腕部（２０）に対して突出して位置付けられた停止爪石（２６）であって、前記停止爪石（２６）は、その端部において、脱進機輪（２４）との接触点を画定する凸状部分を有する、停止爪石（２６）と、
を含む、アンクル（１０）。
【請求項２】
単結晶材料から作られることを特徴とする、請求項１に記載のアンクル（１０）。
【請求項３】
ケイ素系材料で作られることを特徴とする、請求項２に記載のアンクル（１０）。
【請求項４】
前記停止爪石が、前記衝撃および係止爪石（２２）の間に位置することを特徴とする、先行する請求項の一項に記載のアンクル（１０）。
【請求項５】
前記停止爪石が、前記衝撃および係止爪石（２２）のどちらかの側に位置することを特徴とする、請求項１乃至４の一項に記載のアンクル（１０）。
【請求項６】
一方の停止爪石（２６）が前記衝撃および係止爪石（２２）の間に位置し、他方が前記衝撃および係止爪石（２２）の外側に位置することを特徴とする、請求項１乃至４の一項に記載のアンクル（１０）。
【請求項７】
前記叉状部（１４）上に取り付けられる針（１８）を含むことを特徴とする、先行する請求項の一項に記載のアンクル（１０）。
【請求項８】
前記叉状部（１４）と一体の針を含むことを特徴とする、先行する請求項の一項に記載のアンクル（１０）。
【請求項９】
棒の組み立てを可能にする構造を含むことを特徴とする、先行する請求項の一項に記載のアンクル（１０）。
【請求項１０】
枢動棒を含むことを特徴とする、請求項１乃至９の一項に記載のアンクル（１０）。
【請求項１１】
脱進機輪（２４）および請求項１乃至１０の一項に記載のアンクル（１０）を備える脱進機であって、腕部（２０）の、一方での前記衝撃および係止爪石（２２）、および他方での前記停止爪石（２６）は、それぞれ、前記脱進機輪（２４）の第１および第２の連続する歯と協働するように配置され、それにより、いかなる外部の傾斜ピンも用いずに引張および妨害の機能を果たすことを特徴とする、脱進機。
【請求項１２】
前記脱進機輪（２４）が衝撃平面（２４ａ）および係止平面（２４ｂ）を画定する歯を備え、前記衝撃および係止爪石（２２）が衝撃平面（２２ａ）および係止平面（２２ｂ）を画定する歯を備え、
第１の腕部（２０）の係止および衝撃爪石（２２）の係止平面（２２ｂ）が前記脱進機輪（２４）の第１の歯の係止平面（２４ｂ）と協働するように配置される一方で、連続する歯の衝撃平面（２４ａ）は前記第１の腕部（２０）の停止爪石（２６）と協働することを特徴とする、請求項１１に記載の脱進機。
【請求項１３】
前記脱進機輪（２４）および前記アンクル（１０）が単結晶材料から作られることを特徴とする、請求項１１および１２の一項に記載の脱進機。
【請求項１４】
前記脱進機輪（２４）および前記アンクル（１０）がケイ素系材料から作られることを特徴とする、請求項１１および１２の一項に記載の脱進機。
【発明の詳細な説明】
【技術分野】
【０００１】
技術分野
本発明は、機械時計製作法の分野に関する。それは、より具体的には、脱進機機構用のアンクルおよびそのようなアンクルを設けられた脱進機に関する。
【背景技術】
【０００２】
発明の背景
機械時計製作法において用いられる異なる脱進機機構の中でも、今日最も広まっているのは、いわゆるスイス式アンクル脱進機である。それは、天府の衝撃ピンと協働するように、その自由端部において、叉状部および針を設けられた棒を設けられたアンクルを用いる。叉状部の反対側では、棒が延在する一方で２つの腕部に分離する。各腕部は石を受容するように設計された筐体を含み、その表面は、脱進機の機能を果たすように、脱進機輪と協働するように設計された軸受平面を形成する。
【０００３】
係止段階の最中に、脱進機輪は係止平面を圧迫し、アンクルの引張を引き起こし、それにより後者は、制限ピンとも呼ばれる傾斜ピンに重みをかける。
【０００４】
制限ピンの存在により、アンクルの係止位置の設定は複雑になる。従って、実際には、アンクルおよび脱進機輪の回転点の位置は別として、制限ピンの位置を考慮に入れることが必要である。制限ピンおよび棒の間の接触点間に存在する力点に鑑みて、爪石および脱進機輪の間の接触点におけるその設定の影響は著しく、それにより遥かにより精密になる。
【０００５】
到達技術水準において既に提案されているのは、制限ピンを除去することを可能にする脱進機である。例えば、文献ＥＰ１２７６０２１（欧州特許出願明細書第１２７６０２１号公報）は、互いに協働する２つのアンクルを有し、かつ、それぞれ、脱進機輪の第１の歯および第２の連続する歯を有する、特に独創的な脱進機を提案している。脱進機輪の歯の輪郭は適合した形状を有し、一つ一つは凹状の衝撃面、頂端の妨害面を備える。この脱進機の独創性および特殊性により、その技術的教示を、スイス式アンクル脱進機を設けられた既存の機構部分に入れ替えることが可能になる。
【０００６】
本発明は、この欠点を解決すること、すなわち、脱進機の様々な部品を修正することなく、脱進機の調節を容易にしつつ制限ピンの存在を回避することを目指す。
【発明の概要】
【０００７】
発明の簡潔な記載
より具体的には、本発明は、一体的に作られるスイス式アンクル脱進機用アンクルに関し、当該アンクルが配置される一般平面を画定し、その自由端部において天府と協働するための叉状部を設けられ、かつ叉状部の反対側に２つの腕部により伸長される棒を含み、各腕部は、
−衝撃および係止爪石と、
−第１の爪石から離れており、かつ前記一般平面において、前記腕部に対して突出して位置付けられた停止爪石であって、前記停止爪石は、その端部において、脱進機輪との接触点を画定する凸状部分を有する、停止爪石と、を含む。
【０００８】
有利には、当該アンクルは単結晶材料、具体的にはケイ素系材料から作られる。
【０００９】
第１の実施形態によれば、停止爪石は衝撃および係止爪石の間に位置する。
【００１０】
第２の実施形態によれば、停止爪石は衝撃および係止爪石のどちらかの側に位置する。
【００１１】
当該アンクルは、叉状部上に取り付けられるかまたは叉状部と一体の針を含むことがある。
【００１２】
当該アンクルの枢動のために、前記アンクルは棒の組み立てを可能にする構造を含む。そのため、当該アンクルは枢動棒を含むこともある。
【００１３】
別の態様によれば、本発明は、脱進機輪および上述のようなアンクルを備える脱進機に関する。腕部の、一方での衝撃および係止爪石、および他方での停止爪石は、それぞれ、脱進機輪の第１および第２の連続する歯と協働するように配置され、それにより、いかなる外部の傾斜ピンも用いずに引張および妨害の機能を果たす。
【００１４】
脱進機輪は衝撃平面および係止平面を画定する歯を備え、衝撃および係止爪石は衝撃平面および係止平面を含む。第１の腕部の係止および衝撃爪石の係止平面が脱進機輪の第１の歯の係止平面と協働するように配置される一方で、連続する歯の衝撃平面は前記第１の腕部の停止爪石と協働する。
【００１５】
好ましくは、当該脱進機輪および当該アンクルは、有利にはケイ素系である単結晶材料から作られる。
【００１６】
図面の簡潔な記載
本発明の他の詳細は、図１および２が本発明によるアンクルの２つの実施形態を示している添付の図面を参照して与えられている以下の記載を読む際に、より明確に現れるだろう。
【図面の簡単な説明】
【００１７】
【図１】本発明によるアンクルの一実施形態を示している。
【図２】本発明によるアンクルの一実施形態を示している。
【発明を実施するための形態】
【００１８】
発明の詳細な記載
図１は、本発明によるアンクル１０の第１の実施形態を示している。それは、スイス式アンクル脱進機１０の到達技術水準のアンクルと同様である。それは、その自由端部において、叉状部１４を設けられた棒１２を含む。棒１２は、アンクル１０が配置される一般平面を画定する。叉状部１４は、図式的に示されている、天府１７の衝撃ピン１６と協働するように設計される。叉状部１４を、天府１７の小さいローラと協働するように設計された針１８により完成させることができる。叉状部１４の反対側では、棒１２が伸長されつつ、一般平面に位置する２つの腕部２０に分かれる。そのため、棒１２および腕部２０の全体的な形状に関しては、アンクル１０は従来のアンクル脱進機１０の従来のアンクル１０と同様である。
【００１９】
本発明によるアンクル１０は、腕部２０において、衝撃平面２２ａおよび係止平面２２ｂを設けられた衝撃および係止爪石２２を含む。こうした平面は、従来的に、脱進機輪２４の各歯により含まれる衝撃平面および係止平面と協働するようにそれぞれ設計される。本出願では、爪石という用語は限定して解釈されてはならず、アンクル１０上に取り付けられるルビー要素を必ずしも明示しない。爪石は、脱進機輪２４と協働するように設計されたアンクル１０の部分を明示する。
【００２０】
本発明によれば、アンクル１０は、衝撃および係止爪石２２から離れており、かつ棒１２により画定された一般平面において、腕部２０に対して突出して位置付けられた停止爪石２６をさらに含む。好ましくは、停止爪石２６は、その端部において、脱進機輪２４との接触点を画定する凸状部分を有する。
【００２１】
より具体的には、図１に示されているように、腕部２０の、一方での衝撃および係止爪石２２、および他方での停止爪石２６は、それぞれ、脱進機輪２４の第１および第２の連続する歯と協働するように配置され、それにより、いかなる外部の傾斜ピンも用いずに、引張および妨害の機能を果たす。第１の腕部２０の衝撃および係止爪石２２の係止平面２２ｂが脱進機輪２４の第１の歯の係止平面２４ｂと協働するように配置される一方で、連続する歯の衝撃平面２４ａは周期的に（すなわち、単一の接触点により）その第１の腕部２０の停止爪石２６と協働する。
【００２２】
図１に提案されている第１の実施形態では、停止爪石２６は衝撃および係止爪石２２の間に位置する。代替的には、停止爪石は、図２に例解されているように、衝撃および係止爪石２２のどちらかの側、すなわち、外側に位置する。図示されていない１つの変形例では、一方の停止爪石２６を衝撃および係止爪石２２の間に位置させ、他方を衝撃および係止爪石２２の外側に位置させることが可能である。
【００２３】
有利には、アンクル１０および爪石は、単結晶材料から、好ましくはケイ素またはケイ素系材料から一体的に作られる。針１８は、アンクル上に取り付けられるかまたは叉状部と一体であり得る。脱進機輪２４も、脱進機輪２４およびアンクル１０の間における摩擦状態を最適化するために、単結晶材料から、好ましくはケイ素またはケイ素系材料から作られる。
【００２４】
次の交替の最中に、脱進機輪２４の別の歯が他方の腕部２０の係止爪石上に下りる一方で、連続する歯は他方の腕部２０の停止爪石２６と実際には同時に協働する。
【００２５】
特に有利なことに、脱進機輪２４の停止が、例解目的のためにのみ図示されている制限ピン２８とのアンクル１０の接触を伴わずに起こることが分かる。
【００２６】
その枢動のために、当業者は、軸受内に取り付けることができる枢動棒をアンクル１０に装備することを可能にする様々な技術を選択することができるだろう。一例として、本出願人の名義での出願ＥＰ０９１６５２５４（欧州特許出願第０９１６５２５４号）の技術的教示を用いることが可能である。そのためには、アンクル１０は、その枢動点において、棒の組み立てを可能にする構造を有することがある。
【００２７】
特に有利には、従来のアンクル脱進機１０において、本発明によるアンクル１０を到達技術水準のアンクル１０に置換することができる。この置換を、脱進機の他の部品に対するいかなる修正も、またはアンクル１０の枢動の中心化も伴わずに行うことができる。従って、制限ピンの除去のおかげで、特定の脱進機の周りの機構部分を具体的に再構築する必要なく、脱進機の機能の設定を大いに簡略化することが可能である。単に従来のアンクル１０を本発明によるアンクル１０に置き換えることにより、この結果を得ることが可能になる。本発明によるアンクル１０を、横のアンクル脱進機１０において典型的なアンクル１０に置換することができることに留意するべきである。
【００２８】
材料の選択によっても、アンクル１０および輪の間における摩擦を最適化することが可能になる。それにより、さらに、アンクル１０およびその爪石の形状を最適化することが可能になる。実際に、本発明によるアンクル１０の形状のおかげで、脱進機輪２４の妨害が、いかなる隅角効果も、および潤滑化しなければならないいかなる凹状領域も伴わずに行われる。あるアンクル１０が脱進機輪２４を妨害する凹状領域を有し、それにより用いられる潤滑剤の経時と共に汚損が引き起こされ得ることに留意した。
【００２９】
さらに、本発明によるアンクル１０により、脱進機が停止するときに起こる震動を最適化することが可能になる。実際に、アンクル１０および制限ピンの間で起こる震動に対して、脱進機輪２４および停止爪石の間で起こるそれは、より小さい力点の腕部２０を用いて起こる。
【図１】
2013545991.tif 000003
【図２】
2013545991.tif 000004
【手続補正書】
【提出日】平成24年10月8日(2012.10.8)
【手続補正１】
【補正対象書類名】明細書
【補正対象項目名】全文
【補正方法】変更
【補正の内容】
【書類名】明細書
【０００１】
技術分野
本発明は、機械時計製作法の分野に関する。それは、より具体的には、脱進機機構用のアンクルおよびそのようなアンクルを設けられた脱進機に関する。
【背景技術】
【０００２】
発明の背景
機械時計製作法において用いられる異なる脱進機機構の中でも、今日最も広まっているのは、いわゆるスイス式アンクル脱進機である。それは、天府の衝撃ピンと協働するように、その自由端部において、叉状部および針を設けられた棒を設けられたアンクルを用いる。叉状部の反対側では、棒が延在する一方で２つの腕部に分離する。各腕部は石を受容するように設計された筐体を含み、その表面は、脱進機の機能を果たすように、脱進機輪と協働するように設計された軸受平面を形成する。
【０００３】
係止段階の最中に、脱進機輪は係止平面を圧迫し、アンクルの引張を引き起こし、それにより後者は、制限具とも呼ばれる外側の傾斜ピンに重みをかける。
【０００４】
傾斜ピンの存在により、アンクルの係止位置の設定は複雑になる。従って、実際には、アンクルおよび脱進機輪の回転点の位置は別として、傾斜ピンの位置を考慮に入れることが必要である。傾斜ピンおよび棒の間の接触点間に存在する力点に鑑みて、アンクル石および脱進機輪の間の接触点におけるその設定の影響は著しく、それにより遥かにより精密になる。
【０００５】
到達技術水準において既に提案されているのは、傾斜ピンを除去することを可能にする脱進機である。例えば、文献ＥＰ１２７６０２１（欧州特許出願明細書第１２７６０２１号公報）は、互いに協働する２つのアンクルを有し、かつ、それぞれ、脱進機輪の第１の歯および第２の連続する歯を有する、特に独創的な脱進機を提案している。脱進機輪の歯の輪郭は適合した形状を有し、一つ一つは凹状の衝撃面、頂端の妨害面を備える。この脱進機の独創性および特殊性により、その技術的教示を、スイス式アンクル脱進機を設けられた既存の機構部分に入れ替えることが可能になる。
【０００６】
本発明は、この欠点を解決すること、すなわち、脱進機の様々な部品を修正することなく、脱進機の調節を容易にしつつ傾斜ピンの存在を回避することを目指す。
【０００７】
発明の簡潔な記載
より具体的には、本発明は、スイス式アンクル脱進機に関し、一体的に作られる脱進機輪およびアンクルを備え、かつ、当該アンクルが配置される一般平面を画定し、その自由端部において天府と協働するための叉状部を設けられ、かつ叉状部の反対側に２つの腕部により伸長する棒を含む。各腕部は、
−衝撃および係止爪石と、
−衝撃および係止爪石から離れており、かつ前記一般平面において、前記腕部に対して突出して位置付けられた停止爪石であって、前記停止爪石は、その端部において、脱進機輪との接触点を画定する凸状部分を有する、停止爪石と、を含む。
【０００８】
腕部の、一方での衝撃および係止爪石、および他方での停止爪石は、それぞれ、脱進機の一周期の最中に、脱進機輪の第１および第２の連続する歯と協働するように配置され、それにより、いかなる外部の傾斜ピンも用いずに引張および妨害の機能を果たす。
【０００９】
図面の簡潔な記載
本発明の他の詳細は、図１および２が本発明によるアンクルの２つの実施形態を示している添付の図面を参照して与えられている以下の記載を読む際に、より明確に現れるだろう。
【図面の簡単な説明】
【００１０】
【図１】本発明によるアンクルの一実施形態を示している。
【図２】本発明によるアンクルの一実施形態を示している。
【発明を実施するための形態】
【００１１】
発明の詳細な記載
図１は、本発明によるアンクル１０の第１の実施形態を示している。それは、スイス式アンクル脱進機の到達技術水準のアンクルと同様である。それは、その自由端部において、叉状部１４を設けられた棒１２を含む。棒１２は、アンクル１０が配置される一般平面を画定する。叉状部１４は、図式的に示されている、天府１７の衝撃ピン１６と協働するように設計される。叉状部１４を、天府１７の小さいローラと協働するように設計された針１８により完成させることができる。叉状部１４の反対側では、棒１２が伸長されつつ、一般平面に位置する２つの腕部２０に分かれる。そのため、棒１２および腕部２０の全体的な形状に関しては、アンクル１０は従来のアンクル脱進機の従来のアンクル１０と同様である。
【００１２】
本発明によるアンクル１０は、腕部２０において、衝撃平面２２ａおよび係止平面２２ｂを設けられた衝撃および係止爪石２２を含む。こうした平面は、従来的に、脱進機輪２４の各歯により含まれる衝撃平面および係止平面と協働するようにそれぞれ設計される。本出願では、爪石という用語は限定して解釈されてはならず、アンクル１０上に取り付けられるルビー要素を必ずしも明示しない。爪石は、脱進機輪２４と協働するように設計されたアンクル１０の部分を明示する。
【００１３】
本発明によれば、アンクル１０は、衝撃および係止爪石２２から離れており、かつ棒１２により画定された一般平面において、腕部２０に対して突出して位置付けられた停止爪石２６をさらに含む。好ましくは、停止爪石２６は、その端部において、脱進機輪２４との接触点を画定する凸状部分を有する。
【００１４】
より具体的には、図１に示されているように、腕部２０の、一方での衝撃および係止爪石２２、および他方での停止爪石２６は、それぞれ、脱進機輪２４の第１および第２の連続する歯と協働するように配置され、それにより、いかなる外部の傾斜ピンも用いずに、引張および妨害の機能を果たす。第１の腕部２０の衝撃および係止爪石２２の係止平面２２ｂが脱進機輪２４の第１の歯の係止平面２４ｂと協働するように配置される一方で、連続する歯の衝撃平面２４ａは周期的に（すなわち、単一の接触点により）その第１の腕部２０の停止爪石２６と協働する。
【００１５】
図１に提案されている第１の実施形態では、停止爪石２６は衝撃および係止爪石２２の間に位置する。代替的には、停止爪石は、図２に例解されているように、衝撃および係止爪石２２のどちらかの側、すなわち、外側に位置する。図示されていない１つの変形例では、一方の停止爪石２６を衝撃および係止爪石２２の間に位置させ、他方を衝撃および係止爪石２２の外側に位置させることが可能である。
【００１６】
有利には、アンクル１０および爪石は、単結晶材料から、好ましくはケイ素またはケイ素系材料から一体的に作られる。針１８は、アンクル上に取り付けられるかまたは叉状部と一体であり得る。脱進機輪２４も、脱進機輪２４およびアンクル１０の間における摩擦状態を最適化するために、単結晶材料から、好ましくはケイ素またはケイ素系材料から作られる。
【００１７】
次の交替の最中に、脱進機輪２４の別の歯が他方の腕部２０の係止爪石上に下りる一方で、連続する歯は他方の腕部２０の停止爪石２６と実際には同時に協働する。
【００１８】
特に有利なことに、脱進機輪２４の停止が、例解目的のためにのみ図示されている傾斜ピン２８とのアンクル１０の接触を伴わずに起こることが分かる。
【００１９】
その枢動のために、当業者は、軸受内に取り付けることができる枢動棒をアンクル１０に装備することを可能にする様々な技術を選択することができるだろう。一例として、本出願人の名義での出願ＥＰ０９１６５２５４（欧州特許出願第０９１６５２５４号）の技術的教示を用いることが可能である。そのためには、アンクル１０は、その枢動点において、棒の組み立てを可能にする構造を有することがある。
【００２０】
特に有利には、従来のアンクル脱進機１０において、本発明によるアンクル１０を到達技術水準のアンクル１０に置換することができる。この置換を、脱進機の他の部品に対するいかなる修正も、またはアンクル１０の枢動の中心化も伴わずに行うことができる。従って、傾斜ピンの除去のおかげで、特定の脱進機の周りの機構部分を具体的に再構築する必要なく、脱進機の機能の設定を大いに簡略化することが可能である。単に従来のアンクル１０を本発明によるアンクル１０に置き換えることにより、この結果を得ることが可能になる。本発明によるアンクル１０を、横のアンクル脱進機において典型的なアンクル１０に置換することができることに留意するべきである。
【００２１】
材料の選択によっても、アンクル１０および輪の間における摩擦を最適化することが可能になる。それにより、さらに、アンクル１０およびその爪石の形状を最適化することが可能になる。実際に、本発明によるアンクル１０の形状のおかげで、脱進機輪２４の妨害が、いかなる隅角効果も、および潤滑化しなければならないいかなる凹状領域も伴わずに行われる。あるアンクル１０が脱進機輪２４を妨害する凹状領域を有し、それにより用いられる潤滑剤の経時と共に汚損が引き起こされ得ることに留意した。
【００２２】
さらに、本発明によるアンクル１０により、脱進機が停止するときに起こる震動を最適化することが可能になる。実際に、アンクル１０および傾斜ピンの間で起こる震動に対して、脱進機輪２４および停止爪石の間で起こるそれは、より小さい力点の腕部２０を用いて起こる。
【手続補正２】
【補正対象書類名】特許請求の範囲
【補正対象項目名】全文
【補正方法】変更
【補正の内容】
【特許請求の範囲】
【請求項１】
スイス式アンクル脱進機であって、一体的に作られる脱進機輪（２４）およびアンクル（１０）を備え、かつ、前記アンクル（１０）が配置される一般平面を画定し、その自由端部において天府（１７）と協働するための叉状部（１４）を設けられ、かつ前記叉状部（１４）の反対側に２つの腕部（２０）により伸長される棒（１２）を含み、各腕部（２０）は、
−衝撃および係止爪石（２２）と、
−前記衝撃および係止爪石から離れており、かつ前記一般平面において、前記腕部（２０）に対して突出して位置付けられた停止爪石（２６）と、を含み、
前記停止爪石は、その端部において、脱進機輪（２４）との接触点を画定する凸状部分を有し、
腕部（２０）の、一方での前記衝撃および係止爪石（２２）、および他方での前記停止爪石（２６）は、それぞれ、前記脱進機の一周期の最中に、前記脱進機輪（２４）の第１および第２の連続する歯と協働するように配置され、それにより、いかなる外部の傾斜ピンも用いずに引張および妨害の機能を果たすことを特徴とする、脱進機。
【請求項２】
前記脱進機輪（２４）が衝撃平面（２４ａ）および係止平面（２４ｂ）を画定する歯を備え、前記衝撃および係止爪石（２２）が衝撃平面（２２ａ）および係止平面（２２ｂ）を画定する歯を備え、
第１の腕部（２０）の衝撃および係止爪石（２２）の係止平面（２２ｂ）が前記脱進機輪（２４）の第１の歯の係止平面（２４ｂ）と協働するように配置される一方で、連続する歯の衝撃平面（２４ａ）は前記第１の腕部（２０）の停止爪石（２６）と協働することを特徴とする、請求項１に記載の脱進機。
【請求項３】
前記アンクル（１０）が単結晶材料から作られることを特徴とする、請求項１および２の一項に記載の脱進機。
【請求項４】
前記脱進機輪（２４）が単結晶材料から作られることを特徴とする、請求項３に記載の脱進機。
【請求項５】
前記アンクル（１０）がケイ素系材料で作られることを特徴とする、請求項３に記載の脱進機。
【請求項６】
前記脱進機輪（２４）がケイ素系材料で作られることを特徴とする、請求項５に記載の脱進機。
【請求項７】
前記アンクルの停止爪石が、前記衝撃および係止爪石（２２）の間に位置する、先行する請求項の一項に記載の脱進機。
【請求項８】
前記停止爪石が、前記衝撃および係止爪石（２２）のどちらかの側に位置する、請求項１乃至６の一項に記載の脱進機。
【請求項９】
前記アンクルが、前記衝撃および係止爪石（２２）の間に位置する第１の停止爪石（２６）、および前記衝撃および係止爪石（２２）の外側に位置する別の停止爪石（２６）を有する、請求項１乃至６の一項に記載の脱進機。
【請求項１０】
前記アンクル（１０）が前記叉状部（１４）上に取り付けられる針（１８）を含む、先行する請求項の一項に記載の脱進機。
【請求項１１】
前記アンクル（１０）が前記叉状部（１４）と一体の針を含む、先行する請求項の一項に記載の脱進機。
【請求項１２】
前記アンクル（１０）が棒の組み立てを可能にする構造を含む、先行する請求項の一項に記載の脱進機。
【請求項１３】
前記アンクル（１０）が枢動棒を含む、先行する請求項の一項に記載の脱進機。
【手続補正書】
【提出日】平成25年9月19日(2013.9.19)
【手続補正１】
【補正対象書類名】特許請求の範囲
【補正対象項目名】全文
【補正方法】変更
【補正の内容】
【特許請求の範囲】
【請求項１】
スイス式アンクル脱進機であって、一体的に作られる脱進機輪（２４）およびアンクル（１０）を備え、かつ、前記アンクル（１０）が配置される一般平面を画定し、その自由端部において天府（１７）と協働するための叉状部（１４）を設けられ、かつ前記叉状部（１４）の反対側に２つの腕部（２０）により伸長される棒（１２）を含み、各腕部（２０）は、
−衝撃および係止爪石（２２）と、
−前記衝撃および係止爪石から離れており、かつ前記一般平面において、前記腕部（２０）に対して突出して位置付けられた停止爪石（２６）と、を含み、
前記停止爪石は、その端部において、脱進機輪（２４）との接触点を画定する凸状部分を有し、
腕部（２０）の、一方での前記衝撃および係止爪石（２２）、および他方での前記停止爪石（２６）は、それぞれ、前記脱進機の一周期の最中に、前記脱進機輪（２４）の第１および第２の連続する歯と協働するように配置され、それにより、いかなる外部の傾斜ピンも用いずに引張および妨害の機能を果たすことを特徴とする、スイス式アンクル脱進機。
【請求項２】
前記脱進機輪（２４）が衝撃平面（２４ａ）および係止平面（２４ｂ）を画定する歯を備え、前記衝撃および係止爪石（２２）が衝撃平面（２２ａ）および係止平面（２２ｂ）を画定する歯を備え、
第１の腕部（２０）の衝撃および係止爪石（２２）の係止平面（２２ｂ）が前記脱進機輪（２４）の第１の歯の係止平面（２４ｂ）と協働するように配置される一方で、連続する歯の衝撃平面（２４ａ）は前記第１の腕部（２０）の停止爪石（２６）と協働することを特徴とする、請求項１に記載のスイス式アンクル脱進機。
【請求項３】
前記アンクル（１０）が単結晶材料から作られることを特徴とする、請求項１および２の一項に記載のスイス式アンクル脱進機。
【請求項４】
前記脱進機輪（２４）が単結晶材料から作られることを特徴とする、請求項３に記載のスイス式アンクル脱進機。
【請求項５】
前記アンクル（１０）がケイ素系材料で作られることを特徴とする、請求項３に記載のスイス式アンクル脱進機。
【請求項６】
前記脱進機輪（２４）がケイ素系材料で作られることを特徴とする、請求項５に記載のスイス式アンクル脱進機。
【請求項７】
前記アンクルの停止爪石が、前記衝撃および係止爪石（２２）の間に位置する、先行する請求項の一項に記載のスイス式アンクル脱進機。
【請求項８】
前記停止爪石が、前記衝撃および係止爪石（２２）のどちらかの側に位置する、請求項１乃至６の一項に記載のスイス式アンクル脱進機。
【請求項９】
前記アンクルが、前記衝撃および係止爪石（２２）の間に位置する第１の停止爪石（２６）、および前記衝撃および係止爪石（２２）の外側に位置する別の停止爪石（２６）を有する、請求項１乃至６の一項に記載のスイス式アンクル脱進機。
【請求項１０】
前記アンクル（１０）が前記叉状部（１４）上に取り付けられる針（１８）を含む、先行する請求項の一項に記載のスイス式アンクル脱進機。
【請求項１１】
前記アンクル（１０）が前記叉状部（１４）と一体の針を含む、先行する請求項の一項に記載のスイス式アンクル脱進機。
【請求項１２】
前記アンクル（１０）が棒の組み立てを可能にする構造を含む、先行する請求項の一項に記載のスイス式アンクル脱進機。
【請求項１３】
前記アンクル（１０）が枢動棒を含む、先行する請求項の一項に記載のスイス式アンクル脱進機。
【国際調査報告】
2013545991.tif 000005
2013545991.tif 000006
2013545991.tif 000007
2013545991.tif 000008
2013545991.tif 000009
2013545991.tif 000010